(57)【特許請求の範囲】
【請求項１】
高速噴射機を用いた高効率の花粉噴射機において、
前記花粉噴射機は、石松子と果樹の花粉が混合された花粉が保管される花粉筒と、
前記花粉筒と連通され、花粉筒の花粉を花粉落下孔を介してサイクロン管に供給する花粉排出管と、
前記花粉排出管の内部に着設され、モーターの動力によって作動する回転軸により回転するバネと、
前記花粉落下孔を介して供給された花粉が排出される噴射ノズルと、
前記噴射ノズルに形成された多数の孔とそれぞれ連結され、花粉を空中に噴射させる噴射口と、
前記噴射ノズルの後面のサイクロン管の内部に形成され、強い渦流風を発生させる渦流板と、
前記高速噴射機の送風ファンから発生された強風を供給する送風路と、
前記高速噴射機から発生された風が送風路を通じて渦流板にぶつかって渦流風を発生させ、前記渦流風はサイクロン管を通過しながら前記花粉落下孔を介して供給される花粉を均一に分散させ、前記分散された花粉を噴射ノズルに形成された孔と連結された噴射口を通じて空中に噴射して花粉が飛散される
ことを特徴とする高速噴射機を用いた高効率花粉噴射機。
【請求項２】
前記花粉噴射機に、高速噴射機の送風ファンから発生される風を用いることができない場合、花粉噴射機の送風路に、高速噴射機の電源により作動されるモーターのモーターファンを着設し、前記モーターファンの風を花粉噴射機のサイクロン管に供給して、サイクロン管で強い渦流風を形成させ、前記渦流風によって花粉が飛散される
請求項１に記載の高速噴射機を用いた高効率花粉噴射機。
【請求項３】
前記サイクロン管から形成された強い渦流が花粉落下孔を介して供給される花粉を均一に分散させるように噴射ノズルに孔を２〜８個形成し、前記噴射ノズルに形成された各孔に噴射口を締結し、噴射口を通じて花粉が噴射されて飛散される
請求項１または２に記載の高速噴射機を用いた高効率花粉噴射機。
【請求項４】
前記花粉落下孔に花粉が供給される際、供給される花粉の量を調節することができるコントロールスィッチが形成されている
請求項１ないし３のいずれかに記載の高速噴射機を用いた高効率花粉噴射機。
【請求項５】
前記回転軸に連結されたバネの内側に螺旋形の羽が形成され、強風にも移送される花粉が逆流されずにサイクロン管に円滑に供給される
請求項１ないし４のいずれかに記載の高速噴射機を用いた高効率花粉噴射機。
【請求項６】
前記花粉筒に供給される花粉は、花粉：石松子の比率が１：２〜５の比率で混合して噴射する
請求項１ないし５のいずれかに記載の高速噴射機を用いた高効率花粉噴射機。
【発明の詳細な説明】
【技術分野】
【０００１】
本発明は、ＳＳ機（Ｓｐｅｅｄ  Ｓｐｒａｙ機）から発生される風力を活用した高効率の花粉噴射機に関し、詳しくは、林檎、梨、及び桃などの果樹農家において、果樹の受精率を高めるために、開花期に人工受粉する際に、迅速に花粉を噴射するための花粉噴射機に関する。
【背景技術】
【０００２】
従来の林檎、梨、または桃などの果樹園では、蜂などの昆虫が開花期に活動することで受精に関与していたが、最近は過多な農薬などの使用及び不規則な天気により、果樹の開花期に蜂などの活動が活発ではない実情である。上記のような蜂などによる自然受精方法は、労動力を必要としないが、受精率が低いという短所がある。
【０００３】
よって、果樹農家では果樹樹木の開花期に、筆などを用いて人手で一つ一つの花に花粉をつけて人工受精をしていたのであり、最近は作業者が人工受精器のような機械装置を用いて人工受精を追加している。しかし、作業者の手作業による人工受精は、過度な労動力を必要とし、開花適期に受精ができないという短所がある。
【０００４】
従来の技術として、特許文献１に、人工受精のための交配器が開示されており、特許文献２には、作業者が手で持ちながら花粉を噴射させ、花粉を受精させる花粉受精器が開示されている。
【０００５】
前記花粉交配器または受精器は、ハンドル部２０に花粉容器３０が装着された本体を含み、外部からハンドル部２０に送風された空気が花粉容器３０に提供され、花粉が空気と共にパイプノズル６０を通じて外部に噴射される。しかし、前記花粉交配器の場合、ハンドル部に花粉容器が装着され、外部から送風された空気が花粉容器に提供され、花粉容器の内部で混合された後、パイプノズルを通じて外部に排出される方式であり、よって、空気及び花粉の混合比を精密に調節し難く、空気量に比べて花粉量が過度であり、花粉の消耗量が大きく増加されることができる。また、前記花粉交配器の場合、作業者が直接に持ちながら作業しなければならないという不便があり、ハンドル部に花粉が収納された花粉容器が装着されるため、花粉容器の重さによって作業者が多大な疲れをよく感じるようになる。さらに、前記花粉交配器の場合、作業者がハンドル部に装着された噴射ボタン部を押していればこそ花粉が噴射されるため、長時間作業する場合、作業者の疲労度が大きく増加し、作業者が噴射ボタン部を押す程度によって花粉の噴射量が変更されるので、正確な量で花粉を果樹の雌蕊に提供し難い。
【０００６】
前記花粉交配器の場合、ハンドル部の構成が非常に複雑であり、ハンドル部の中、花粉が通す通路に花粉が固まったり被着され易いが、ハンドル部の構成が複雑であるため、通路に固まったり被着されている花粉を除去し難い。また、手で持ちながら一つ一つの花の近くにまで花粉を噴射しなければならないので、花粉の飛散距離が短くて受精率が低下されると共に、作業時間が長く所要されるという短所がある。
【先行技術文献】
【特許文献】
【０００７】
【特許文献１】韓国登録実用新案公報第２０−０３４９２７２号
【特許文献２】韓国公開特許公報第２０１２−０１０６４４６号
【発明の概要】
【発明が解決しようとする課題】
【０００８】
本発明の目的は、果樹の開花期に花粉噴射機で花粉を噴射すれば、ＳＳ機の強力な風力が、噴射された花粉を果樹の花のある高い所まで飛散させることで、果樹の受精率を高めるためのものである。また、花粉の噴射作業は、花粉噴射機をＳＳ機に装着して乗用のＳＳ機を運行しながら作業を行うので、作業が便利であり、作業速度を大きく増加させることができる。林檎などの果樹の花は、開花当日から約３〜４日まで受精能率を保有するため、花が一番盛んに開花した時期に迅速に受精させなければならない。さらに、一日中、花は午前９時から１１時の間に受精させることが、受精がよく行われるため、午前中に露が乾いた後、短時間に花粉を供給しなければならない。よって、４、５月の開花期の果樹は、午前中心花が７０〜８０％以上満開した清い日の午前中に花粉を人工的に供給して人工受精しなければならない。
【０００９】
しかし、従来の作業者が人工受精器を手で持ちながら花粉を噴射する場合は、時間が長く所要され、受精率の高い午前時間に作業を終えることができず、人工受精に何日もの時間が所要され、開花適期に人工受精し難いという問題がある。
【００１０】
本発明のさらに他の目的は、乗用のＳＳ機を使用することで、風力だけではなく、ＳＳ機のバッテリー電源を花粉噴射機の必要電力として使用できるようにするためである。従来の作業者が直接に手で持ちながら受精作業を行っていた人工花粉受精器には、重いバッテリーが装着されており、作業の遂行が不便であるため、作業の効率性が大きく低下され、多くの面積への花粉噴射のためには、頻繁にバッテリーを入れ替えなければならないという問題があった。
【００１１】
また、本発明の花粉噴射機は、花粉が噴射される噴射ノズルの孔を多数個形成して花粉を噴射させ、花粉の噴射を均一にするために強いＳＳ機の風を花粉噴射機に供給する。
【課題を解決するための手段】
【００１２】
上記のような問題点を解決するために、本発明のＳＳ機の風力を用いた高効率の花粉噴射機は、石松子と混合された花粉が保管される花粉筒、及び前記花粉筒と連通され、花粉筒の花粉を花粉落下孔を介してサイクロン管に供給する花粉排出管で構成され、前記花粉排出管の内部にはバネが着設され、前記バネはモーターの動力によって作動する回転軸により回転して花粉筒の花粉を移送する。
【００１３】
さらに、前記花粉落下孔を介して供給された花粉は、ＳＳ機から供給された強風が花粉噴射機の下部送風路を通じてサイクロン管に流入され、前記サイクロン管で渦流板にぶつかって強い渦流が形成され、噴射ノズルと連結された噴射口を通じて外部に風が分散される。
【００１４】
前記サイクロン管から形成された強い渦流が空中に噴出される際、サイクロン管の前方に２〜８個の孔が形成された噴射ノズルを通過しながら、花粉と共に空中に噴射される。
【００１５】
また、前記モーターの動力によって作動する回転軸に連結されたバネの内側に螺旋形の羽を着設し、花粉筒の花粉が強風にも逆流されずに円滑に移送されるようにする。
【００１６】
さらに、前記人工受粉に使われる花粉は、花粉：石松子の比率を１：２〜５倍の比率で混合して花粉筒に盛って使い、必要な場合、石松子を桃色などの多様な色で染色し、花粉が噴射される際、作業の進行状況を目で確認することができるようにする。
【発明の効果】
【００１７】
本発明のＳＳ機の風力を用いた花粉噴射機は、ＳＳ機から発生される強力な風を花粉噴射機に供給して花粉を空中に飛散させ、飛散された花粉をＳＳ機の風力で果樹の花のある高い所まで飛ばして受精率を高めるようにしたものである。
【００１８】
ＳＳ機の風力を用いる本願発明は、人工受粉のために作業者が直接に手で持ちながら花粉を噴射する際より作業速度が８〜１０倍以上に効率的であった。よって、本発明によるＳＳ機の風力を用いた花粉噴射機は、国内の果樹農家の水準で果樹園が広いとしても、午前時間帯の作業だけでも充分に花粉の噴射作業を終えることができるため、果樹の受精率を大きく高めることができる。
【００１９】
２〜８個の孔が形成された噴射ノズルを有する花粉噴射機をＳＳ機に装着し、前記噴射ノズルの各孔に連結された噴射口をＳＳ機の後面の左右側に一定した角度で固定配置する。
【００２０】
本願発明は、乗用ＳＳ機を用いて人工受粉をすることで、作業が容易であり、作業時間を大きく短縮することができ、開花適期に迅速に作業することで受精率を大きく増加させることができる。また、ＳＳ機の強力な風が花粉を高い所まで飛散させることができ、所要される花粉の量も減らすことができる。さらに、花粉噴射機の消費電力をＳＳ機の電源の使用によって手作業による花粉受精器を使用する際に、頻繁にバッテリーを入れ替えしなければならないという問題を解決した。
【００２１】
なお、本願発明は、花粉を噴射する際に、渦流板によって強力な渦流風を発生させて花粉を噴射することで、果樹全体に均一に受精させることができる利点がある。
【図面の簡単な説明】
【００２２】
【図１】本発明の花粉噴射機の側面図
【図２】本発明の花粉噴射機の正面図
【図３】本発明の花粉噴射機をＳＳ機に装着した実施例を示す説明図
【図４】本発明の花粉噴射機の使用実施図を示す説明図
【発明を実施するための形態】
【００２３】
本発明において、「花粉（ｐｏｌｌｅｎ）」は、花粉噴射機で噴射する花粉を言い、前記花粉は、石松子と林檎、梨、または桃などの果樹の花粉をそれぞれ一定した比率で混合したものである。林檎、梨、または桃などの果樹の花粉を花粉噴射機で噴射して受精する場合、果樹の花粉のみ使用するようになれば花粉の所要量が過度に多くなり費用が増加するので、花粉の嵩を増加させるために石松子の粉を一定量混合する。望ましくは、花粉：石松子の比率を１：２〜５の比率で混合する。この際、混合される石松子の粉を桃色などで染め付けるようになれば、花粉を噴射する際に噴射される花粉を視覚的に確認することができるため、作業効率を増大させる。
【００２４】
国内の果樹農家で主に栽培している果樹樹木には、林檎、梨、桃、ぶどう、スモモ、杏、柿などがあり、これらの果樹の開花期は果樹の種類と地域によってそれぞれ少しずつ差異がある。
【００２５】
さらに、果樹の開花は、一つの果樹園では比較的に各果樹の開花期が一定した時期に開花するようになるが、普通は４、５月の清い日の２〜４日間に開花が絶頂に至る。このように長くない開花期に果樹花が満開した際に、一遍に人工花粉を噴射して受精率を高めなければならないが、従来には作業者がいちいち持ちながら人工受精する形態の人工受精作業では開花適期に人工受精することが難しい。普通、果樹の開花は午前９時から１１時の間に花が最も盛んに満開し、一日中、この時に蜂などの昆虫が最も活発に活動する。
【００２６】
よって、果樹園で花粉を噴射して人工受精する際にも果樹園の花が７０〜８０％以上満開した清い日の午前時間に人工受精作業を行うことが受精率を高められる方法である。
【００２７】
本発明の花粉噴射機１は、花粉が盛られる花粉筒３０、前記花粉筒の下部に形成される花粉落下孔２１、前記花粉排出管の内部に着設されるバネ４０、前記バネを固定させるバネホルダー６０、前記バネが内部に装着される花粉排出管２２、前記排出管の末端部は密閉カバー２０で密閉され、反対側の末端部には回転軸７０の回転動力を発生させるモーター８０が装着され、前記花粉排出管は排出管ホルダー５０によって固定され、前記花粉排出管の下部には渦流板１００が内設されたサイクロン管９１が形成され、前記花粉排出管とサイクロン管との間には花粉落下孔２１に連通され、前記サイクロン管の前方には噴射口が締結される噴射ノズル９０が装着され、前記サイクロン管に供給される強風はＳＳ機の送風ファン２１０から発生された強風が送風路１１を介して供給される。
【００２８】
前記花粉噴射機１はＳＳ機に装着され、ＳＳ機から強風を送風路１１を介して供給を受けて花粉を噴射するようになる。花粉噴射機で必要とするモーターなどの電源は前記ＳＳ機の電源を用いて、サイクロン管の内部で花粉を分散させる渦流風や空中に噴射された花粉を飛散させる風は、ＳＳ機の送風ファンから発生される風を用いる。
【００２９】
花粉噴射機を装着することが困難であり、ＳＳ機の送風ファン２１０の風を用いることができない場合には、送風路１１の内側にモーターの駆動により作動するモーターファンを着設して前記モーターファンの風をサイクロン管の内部に供給して渦流風を発生させる。前記モーターファンを駆動させるモーターは、ＳＳ機の電源を使用する。
【００３０】
以下、添付の図面を参照しながら本発明による実施例について詳しく説明する。
【００３１】
図１は、本発明の花粉噴射機の側面図であり、図２は、本発明の花粉噴射機の正面図であり、図３は、本発明の花粉噴射機をＳＳ機に装着した実施図であり、図４は、本発明の花粉噴射機の使用実施図である。
【００３２】
図１〜４に示すように、本発明のＳＳ機２００の風力を用いた高効率の花粉噴射機１は、花粉筒３０に保存された花粉を、ＳＳ機の送風ファン２１０から発生された風を送風路１１を通じてサイクロン管９１に供給を受け、渦流板１００によって強い渦流風を発生させ、サイクロン管に供給される花粉を２〜８個の孔が形成された噴射ノズルの前記孔と締結された噴射口９２を通じて花粉を空中に噴射するようになる。前記噴射口９２を通じて噴射された花粉は、ＳＳ機の送風ファン２１０から発生された強風によって更に高い所まで飛散するようになる。前記花粉噴射機はＳＳ機の後面に１個を取り付け、噴射ノズル９０に形成された２〜８個の各孔に噴射口９２を締結し、前記噴射口はＳＳ機の後面の左右両側に一定した角度で固定させ、噴射される花粉がＳＳ機の送風ファンの風によってより高く飛散されるようにする。前記噴射口９２は噴射ノズル９０に締結される金属またはプラスチック管を使用する。
【００３３】
前記花粉噴射機のサイクロン管９１に供給される風は、ＳＳ機の送風ファン２１０によって発生される風を用いる。しかし、ＳＳ機から発生された風を花粉噴射機に用いることができない場合には、花粉噴射機の送風路１１の内側にモーターファンを着設し、サイクロン管９１の内部に強風を供給し、前記モーターファンはＳＳ機の電源により作動するモーターの駆動により作動する。
【００３４】
よって、花粉噴射機に供給される風は、ＳＳ機の送風ファン２１０による風と、ＳＳ機の電源により作動するモーターのモーターファンによって発生される風力があり得る。
【００３５】
前記花粉噴射機が取り付けられたＳＳ機は、低速で運転しながら果樹の間を進行する際に、果樹の開花した花に花粉が噴射されて人工受粉されるのである。
【００３６】
前記花粉筒３０の下部は花粉排出管２２と連通されており、前記花粉排出管２２を通じて花粉筒の花粉が移送される。すなわち、花粉排出管の花粉は、モーター８０の駆動によって回転する回転軸７０により、バネ４０が回転しながら花粉を移送させ、花粉落下孔２１を通じて花粉をサイクロン管９１に供給する。
【００３７】
前記バネ４０は、花粉排出管２２の内部に装着され、バネホルダー６０によって固定され、前記花粉排出管２２は排出管ホルダー５０によって水平に固定設置される。
【００３８】
前記バネ４０は、ＳＳ機２００の電源により作動するモーター８０の動力により回転する回転軸７０の回転によって花粉を移送するようになる。
【００３９】
前記花粉の移動を円滑にするために、回転軸７０に連結されて回転するバネ４０の内部に螺旋形の羽を形成させることができる。
【００４０】
前記バネ４０の回転によってサイクロン管９１に供給された花粉は、サイクロン管の渦流風により均一に分散して排出される。前記サイクロン管９１に供給される風は、ＳＳ機の送風ファン２１０から発生された強風が送風路１１を介して供給される。
【００４１】
前記サイクロン管９１の内部には、送風路１１を介して供給された強風は、サイクロン管９１に形成された渦流板１００にぶつかって強い渦流風を形成する。前記サイクロン管９１の渦流板１００によって発生された渦流風は、噴射ノズル９０の孔と締結された噴射口９２を通じて外に排出され、前記噴射ノズル９０には２〜８個の孔が形成されており、前記孔に噴射口９２が締結され、前記噴射口９２はＳＳ機の後面の左右両側に固定され、前記噴射口９２を通じて渦流風と共に花粉がＳＳ機の送風ファン２１０の隣近に噴射され、噴射された花粉は送風ファン２１０の強力な風によって高い所まで空中に飛散され、果樹の花に受精される。
【００４２】
前記サイクロン管９１から発生された強い渦流風は、噴射ノズル９０と連結された噴射口を通じて空中に噴射されるが、一部の花粉落下孔２１を通じて逆流することができるので、花粉筒３０を覆う花粉筒カバー３１と花粉排出管２２の末端を密閉させる密閉カバー２０が離脱されないように固定させ、強い渦流風にも花粉が逆流しないようにする。強風が花粉落下孔２１を通じて花粉排出管２２と花粉筒３０に逆流することを防止するために、花粉落下孔２１に逆流防止装置（未図示）を設置することもできる。前記逆流防止装置は、花粉筒３０の内部に設置してサイクロン管９１の方向に強風を吹き入れる方法を使用することもできる。
【００４３】
また、前記花粉落下孔２１を通じて花粉がサイクロン管９１に供給される際、供給される花粉の量を調節するために、花粉落下孔２１の孔のサイズを調節することができるコントロールスィッチ２１０が形成される。
【００４４】
前記コントロールスィッチ２１０は、花粉の供給量を調節し、サイクロン管の内部の渦流板１００によって形成される強い渦流風は花粉を均一に混合させ、噴射ノズル９０の孔に締結された噴射口９２を通じて流出される花粉が均一に噴射される。前記噴射ノズル９０には噴射口と締結される孔が２〜８個形成され、前記噴射ノズルと連結された噴射口を通じて花粉が空中に噴射されるようになる。噴射された前記花粉は、ＳＳ機の送風ファン２１０から発生された強力な風によって、果樹の上部に咲いた花まで花粉４００を吹き飛ばして受精させる。
【符号の説明】
【００４５】
１    花粉噴射機
１０    本体
１１    送風路
２０    密閉カバー
２１    花粉落下孔
２２    花粉排出管
３０    花粉筒
３１    花粉筒カバー
４０    バネ
５０    排出管ホルダー
６０    バネホルダー
７０    回転軸
８０    モーター
９０    噴射ノズル
９１    サイクロン管
９２    噴射口
１００    渦流板
１１０    コントロールスィッチ
２００    スピードスプレーヤー機
２１０    送風ファン
３００    ブラケット
４００    花粉
【図１】
0005923587.tif 000002
【図２】
0005923587.tif 000003
【図３】
0005923587.tif 000004
【図４】
0005923587.tif 000005